(57)【要約】      （修正有）【課題】紙筒の蓋であって、従来の紙質の蓋に比べて強度があり、耐湿性、耐雨水性があり紙筒本体に嵌脱操作がスムーズにできる蓋を提供する。【解決手段】紙筒本体４の上部に嵌脱自在にとりつけられる薄型の蓋１であって、該蓋は、外周端に紙筒本体の上端部に載置されるフランジ部２ａを、フランジ部の内側に紙筒本体の内側面に当接される垂下部２ｂを、垂下部の下方部に内側に所定幅延設される第１水平部２ｃを、水平部の内側に起立部２ｄを、起立部の上端部に、上端部を塞ぐ第２水平部２ｅを一体成型してなる合成樹脂製の薄型の蓋主体と、蓋主体に固着される合成樹脂製のつまみとからなり、つまみは蓋主体の起立部と第２水平部の外側に当接されて固着される下垂部と上面部と、上面部の外周端に上記下垂部より外側に突出する指の係合部を形成している紙筒の蓋。【選択図】図３
0003140256.tif 000002
【実用新案登録請求の範囲】
【請求項１】
紙筒本体の上部に嵌脱自在にとりつけられる薄型の蓋であって、該蓋は、外周端に紙筒本体の上端部に載置されるフランジ部を、該フランジ部の内側に紙筒本体の内側面に当接される垂下部を、該垂下部の下方部に内側に所定幅延設される第１水平部を、該水平部の内側に起立部を、該起立部の上端部に、上端部を塞ぐ第２水平部を一体成型してなる合成樹脂製の薄型の蓋主体と、蓋主体に固着される合成樹脂製のつまみとからなり、該つまみは蓋主体の起立部と第２水平部の外側に当接されて固着される下垂部と上面部と、該上面部の外周端に上記下垂部より外側に突出する指の係合部を形成していることを特徴とする紙筒の蓋。
【考案の詳細な説明】
【技術分野】
【０００１】本考案は製図用紙、表彰状、その他賞状等所定大きさの方形紙を筒状に巻回して収納する紙筒本体の上部に嵌脱自在にとりつけられる紙筒の蓋に関する。
【背景技術】
【０００２】従来製図用紙、表彰状、その他賞状等所定大きさの方形紙を筒状に巻回して収納する紙筒は公知であり、該紙筒は有底の紙筒本体と、それの上端開口を塞ぐ蓋からなっている。
これの形状は角筒と円筒の２種類があり、紙筒本体ならびに蓋は材質が紙質である。また蓋の形状は所定高さをもつ上底筒形の形状を呈しており、紙筒本体の上部を外嵌している。
【考案の開示】
【考案が解決しようとする課題】
【０００３】ところが上記従来の紙筒は、本体および蓋いずれもが紙質であるために、ことに本体の上部に外嵌される蓋が強度が弱く、また雨や湿気に弱く、蓋の損傷が早くこれの改善が要望されていた。
また蓋の強度を保持するために、蓋の形状は紙筒本体の上端部に外嵌できる所定高さの上底筒形形状を呈しているために蓋の嵌脱がスムーズにできないことがある。ことに湿度の乾、湿の変化によって蓋の嵌、脱に差が生じ、スムーズに嵌脱できないことがある。
本考案は上記の問題点を解消している。
【課題を解決するための手段】
【０００４】本考案はつぎの特徴を備えている。
「紙筒本体の上部に嵌脱自在にとりつけられる薄型の蓋であって、該蓋は、外周端に紙筒本体の上端部に載置されるフランジ部を、該フランジ部の内側に紙筒本体の内側面に当接される垂下部を、該垂下部の下方部に内側に所定幅延設される第１水平部を、該水平部の内側に起立部を、該起立部の上端部に、上端部を塞ぐ第２水平部を一体成型してなる合成樹脂製の薄型の蓋主体と、蓋主体に固着される合成樹脂製のつまみとからなり、該つまみは蓋主体の起立部と第２水平部の外側に当接されて固着される下垂部と上面部と、該上面部の外周端に上記下垂部より外側に突出する指の係合部を形成していることを特徴とする紙筒の蓋」である。
【考案の効果】
【０００５】本考案の紙筒の蓋は合成樹脂製の薄型の蓋主体に合成樹脂製のつまみを固着しているので、従来の紙質の蓋よりも強度が強く、耐湿性、耐雨水性があるので、損傷がなく長期使用できる。【０００６】さらに本考案の紙筒の蓋は紙筒本体の上端部にフランジ部が載置され、紙筒本体の内側面に垂下部が当接された状態で紙筒本体の上部に嵌脱自在にとりつけられるので、従来の紙質の蓋が筒形であったのに比べて薄型であり、嵌脱がスムーズにできる。【０００７】本考案の紙筒の蓋は、つまみの指の係合部が上面部の外周端に下垂部よりも外側に突出して形成されているので、指によるつまみ操作がしやすく、紙筒本体への嵌脱操作がスムーズにできる。
【考案を実施するための最良の形態】
【０００８】本考案の実施形態を図面を用いて以下に説明する。
図１〜図３は本考案の紙筒の蓋の一実施例を示す。
図１は該蓋の分解断面図、図２は図１の平面図、図３は蓋を紙筒本体に嵌着した状態の断面図である。【０００９】図において、１は薄型の蓋で、該蓋は蓋主体２と該主体２に固着されるつまみ３とから形成される。蓋主体２は平面視正方形、つまり正四角形である。外周端に紙筒本体の上端部に載置されるフランジ部２ａを、該フランジ部の内側に紙筒本体の内側面に当接される垂下部２ｂを、該垂下部の下方部に内側に所定幅延設される第１水平部２ｃを、該水平部の内側に起立部２ｄを、該起立部の上端部に上端部を塞ぐ第２水平部２ｅを一体成型してなる合成樹脂製の薄型の蓋主体である。【００１０】つまみ３は平面視の形状は正方形、つまり正四角形であり、蓋主体の起立部２ｄと第２水平部２ｅの外側つまり表面に当接されて固着される下垂部３ａと上面部３ｂと該上面部の外周端に上記下垂部より外側に突出する指の係合部３ｃを一体成型している合成樹脂製のつまみである。【００１１】蓋主体２につまみ３が起立部と第２水平部の外側に当接されて、互いに接着による固着あるいは高周波溶着による固着等の固着手段で一体にしている。
図３は一体に固着された薄型の蓋１を紙筒本体４に嵌着した状態の断面図である。フランジ部が紙筒本体の上端部に載置され、フランジ部の内側の垂下部が紙筒本体の内側面に当接している。該蓋は紙筒本体４の上部に嵌脱自在にとりつけられる。この蓋は中央部につまみが位置し、指の係合部３ｃが上面部の外周に突出して形成されているので、指によるつまみ操作がしやすく、嵌脱操作がスムーズにできる。【００１２】図４は本考案の紙筒の蓋の別の実施例を示す。５は蓋主体６につまみ７を固着した薄型の蓋である。この蓋は円筒形の紙筒本体にとりつけられるものであり、蓋主体６は平面視円形である。またつまみ７も円形である。断面形状の構成は上記した角筒型の蓋と同様の形状である。
６ａはフランジ部、６ｂは垂下部、６ｃは第１水平部、６ｄは起立部、６ｅは第２水平部、７ａは下垂部、７ｂは上面部、７ｃは指の係合部である。上記それぞれの実施例では蓋主体とつまみの平面視の形状を一方は正方形、他方は円形としているが、蓋主体とつまみの形状は別形状でもよい。
以上本考案の実施例について説明したが、技術思想を逸脱しない限りの設計変更は可能である。
【図面の簡単な説明】
【００１３】
【図１】本考案紙筒の蓋の一実施例を示す分解断面図。
【図２】図１の平面図。
【図３】本考案紙筒の蓋を紙筒本体に嵌着した状態の断面図。
【図４】本考案紙筒の蓋の別の実施例を示す分解平面図である。
【符号の説明】
【００１４】１    蓋
２    蓋主体
２ａ  フランジ部
２ｂ  垂下部
２ｃ  第１水平部
２ｄ  起立部
２ｅ  第２水平部
３    つまみ
３ａ  下垂部
３ｂ  上面部
３ｃ  係合部
４    紙筒本体
５    蓋
６    蓋主体
６ａ  フランジ部
６ｂ  垂下部
６ｃ  第１水平部
６ｄ  起立部
６ｅ  第２水平部
７    つまみ
７ａ  下垂部
７ｂ  上面部
７ｃ  係合部
【図１】
0003140256.tif 000003
【図２】
0003140256.tif 000004
【図３】
0003140256.tif 000005
【図４】
0003140256.tif 000006